(57)【特許請求の範囲】
【請求項１】
チューブ、導電性注射手段、導電性線条体及び導電性線条体操作部を有する双極子電気手術用処置器具であって、
(１)チューブは、主ルーメンと分岐ルーメンとを有するものであり、
(２)導電性線条体は、主ルーメン内で長軸方向に滑動可能にチューブ近位端から遠位端へ挿通され、チューブ遠位端からループ状に露出し得るようにされ、さらに遠位端から近位端へ折り返して挿通され、その両端が導電性線条体操作部に接続されており、
(３)導電性注射手段は、穿刺可能なチューブ形状をなすもので分岐ルーメン内を長軸方向に滑動可能に挿通されており、
(４)導電性線条体と導電性注射手段とは電気的に絶縁されており、
(５)導電性線条体操作部は、チューブの近位端側に設置され、導電性線条体をチューブ長軸方向に滑動させる機構を有する双極子電気手術用処置器具。
【発明の詳細な説明】
【０００１】
【発明の属する技術分野】
本発明は、双極子電気手術用処置器具に関する。さらに詳しくは、本発明は、患部に生理食塩水を注射して導電性線条体のループを患部に掛けやすくする操作を容易に行うことができる双極子電気手術用処置器具に関する。
【０００２】
【従来の技術】
電気手術用処置器具は、高周波の電気的エネルギーを利用した電気手術器であり、生体に電撃を与えずに生体組織を電気的に切断し、手術時の出血を少なくすることができるので、近年広く用いられるようになっている。ループ状のワイヤー電極を、カテーテルチューブの先端から繰り出し、これによって生体に生じたポリープなど異物をつかまえ、カテーテル手元側に設けられたハンドルにより、ワイヤーを絞るとともに、身体の他に部分に設けられた対極板との間に、５００KHz程度の高周波電流を流し、この異物を切除することは周知のことであり、この器具を「スネアー」と呼んでいる。内視鏡の発達とともに、内視鏡のｗｏｒｋｉｎｇ−ｃｈａｎｎｅｌを通してスネアーを体内に挿入し、内視鏡によって発見されたポリープなどをその場で切除することが行われるようになり、生体に対する負担を軽減しながら、ガンなどを早期に処置、予防できるなど、大きな効果をもたらしている。
電気手術用処置器具は、手術用処置器具の先端部に設けられた電極と生体組織間における高周波の電気的エネルギーによる作用を利用するもので、単極子電気手術用処置器具と双極子電気手術用処置器具とがある。単極子電気手術用処置器具は、生体組織の切断力に優れ、切断したときの出血が少ないという利点を有するものであるが、所要電力が５００Ｗ程度と大きいので、切断される生体組織の範囲が広く、そのため生体組織の細部の切断には適していない。これに対して、双極子電気手術用処置器具は、低い所要電力で稼働することができ、切断される生体組織の範囲が狭いので、生体組織の細部の切断に適している。
双極子電気手術用処置器具としては、チューブのルーメン内に長軸方向に滑動可能な第一導電性線条体と第二導電性線条体とを有し、絶縁性のスペーサーを用いて第一導電性線条体の先端と第二導電性線条体の先端とを繋ぎ、ループを形成させたものが知られている（特開平２−２９１８５０号公報、特開平４−２４１８５３号公報、特開平４−３２５１５１号公報など）。このような双極子電気手術用処置器具を用いる手術においては、第一導電性線条体及び第二導電性線条体で形成されるループによりポリープ（隆起性腫瘍様病変）を緊縛し、高周波電流を通電してポリープを切断する。
図１(ａ)は、従来の双極子電気手術用処置器具の斜視図である。本図において、第一導電性線条体１と第二導電性線条体２がチューブ３の遠位端より露出し、絶縁性のスペーサー４により結合されて、ループ５を形成している。図１(ｂ)は、図１(ａ)の双極子電気手術用処置器具を用いた施術の状態を示す説明図である。施術時においては、まず導電性線条体操作部の操作により、導電性線条体の先端のチューブ遠位端からの露出部を大きくし、大きいループを形成する。次いで、図１(ｂ)に示すようにループをポリープ６の周辺に配置し、導電性線条体をチューブルーメンに収納する方向に滑動し、ループを小さくすることによりポリープの回りを緊縛し、高周波電流発生装置を起動することにより、電気的エネルギーでポリープを切断する。
しかし、腫瘍様患部は、必ずしも常に隆起しているとは限らず、平坦であったり、時には陥没している場合すらある。ポリープなどは、大きくなると組織がガン化することが多いので、初期のうちにポリープを切除してしまう必要がある。ところが、容易に理解できることであるが、ポリープが初期の状況では、基体からの出っぱりや盛り上がりの程度が小さいので、スネアーのループワイヤーでは捕捉しにくく、過去、これについての苦情が医師からも多く寄せられていたが、容易に解決できなっかった。
このような場合には、まず患部に生理食塩水などを注射し、患部を隆起せしめたのち切断する方法が知られている。図１(ｃ)及び図１(ｄ)は、生理食塩水の注射の説明図である。図１(ｃ)に示すように、注射針７により患部粘膜８の下方に位置する粘膜下層９に生理食塩水を注射し、図１(ｄ)に示すように生理食塩水１０により患部を隆起させ、ループを患部に掛けやすくしたのち、図１(ｂ)に示すように患部を切断する。
しかし、このような方法で施術しようとすると、患部へ生理食塩水を注射する器具と、電気手術用処置器具の２本の器具を挿入しなければならず、同時に２本の器具を挿入する場合も、逐次的に２本の器具を挿入する場合も、狭い生体管腔内に２本の器具を挿入することは患者にとって負担が大きく、また施術者にとっては煩雑であった。そのため、平坦あるいは陥没状の患部を容易に切断することができる双極子電気手術用処置器具が求められている。
【０００３】
【発明が解決しようとする課題】
本発明は、生体管腔内の平坦又は陥没状態の患部に、生理食塩水を注射して隆起させ、線条体のループを患部に掛けて緊縛し、切断する操作を容易に行うことができる双極子電気手術用処置器具を提供することを目的としてなされたものである。
【０００４】
【課題を解決するための手段】
本発明者らは、上記の課題を解決すべく鋭意研究を重ねた結果、双極子電気手術用処置器具のチューブに遠位端から近位端又はその手前の管壁を経て外部へ連通する分岐ルーメンを設け、分岐ルーメン内に長軸方向に滑動可能に挿通され、生体に穿刺可能な注射手段を設けることにより、１個の電気手術用処置器具で生理食塩水の注射と患部の切断が同時に可能になることを見いだし、さらに、注射手段を導電性とすることにより、注射手段を電極として利用して双極子を形成することが可能となることを見いだして、この知見に基づいて本発明を完成するに至った。
すなわち、本発明は、
［１］チューブ、導電性注射手段、導電性線条体及び導電性線条体操作部を有する双極子電気手術用処置器具であって、
(１)チューブは、主ルーメンと分岐ルーメンとを有するものであり、
(２)導電性線条体は、主ルーメン内で長軸方向に滑動可能にチューブ近位端から遠位端へ挿通され、チューブ遠位端からループ状に露出し得るようにされ、さらに遠位端から近位端へ折り返して挿通され、その両端が導電性線条体操作部に接続されており、
(３)導電性注射手段は、穿刺可能なチューブ形状をなすもので分岐ルーメン内を長軸方向に滑動可能に挿通されており、
(４)導電性線条体と導電性注射手段とは電気的に絶縁されており、
(５)導電性線条体操作部は、チューブの近位端側に設置され、導電性線条体をチューブ長軸方向に滑動させる機構を有する双極子電気手術用処置器具、
を提供するものである。
【０００５】
【発明の実施の形態】
以下、図面により本発明を詳細に説明する。
図２は、本発明の双極子電気手術用処置器具の一態様の斜視図であり、図３は、Ａ−Ａ線断面図である。本態様の双極子電気手術用処置器具は、チューブ１１、注射手段１２、第一導電性線条体１３、第二導電性線条体１４、導電性線条体操作部１５及びスペーサー１６を有する。チューブは、遠位端１７から近位端１８に連通する主ルーメン１９と、遠位端から近位端手前の管壁を経て外部へ連通する分岐ルーメン２０を有し、外部へ連通した分岐ルーメンには生理食塩水注入ポート２１が設けられている。本発明の双極子電気手術用処置器具において、チューブの材質には特に制限はなく、ステンレスのような金属類、あるいはポリエチレン、ポリプロピレン、ポリ塩化ビニル、ポリウレタン、ポリアミド、ポリエステル、ポリカーボネート、ポリエーテルスルホンなどのプラスチック類を使用することができ、目的に応じて適切な弾性率を有するものを選択することができる。
本態様の双極子電気手術用処置器具において、第一導電性線条体及び第二導電性線条体は、その長さがチューブより長いものであり、チューブの主ルーメン内で長軸方向に滑動可能にチューブの近位端から遠位端に挿通され、且つ、チューブの遠位端から先端を露出するものである。また、第一導電性線条体と第二導電性線条体は、たがいに電気的に絶縁されている。２本の導電性線条体をたがいに電気的に絶縁する方法には特に制限はなく、例えば、チューブが電気絶縁体である場合には、図３に示すように、チューブの主ルーメン内に樹脂チューブ２２を挿通固定し、この樹脂チューブに一方の導電性線条体を挿通し、他方の導電性線条体をチューブの主ルーメン内に挿通することにより、第一導電性線条体と第二導電性線条体を絶縁することができる。チューブが金属などの導電性材料からなる場合には、チューブ内面を絶縁性材料でコーティングすることにより、電気絶縁体のチューブと同様に扱うことができる。あるいは、チューブが導電性材料からなる場合には、第一導電性線条体及び第二導電性線条体をそれぞれ樹脂チューブに挿通することにより、若しくは、２個のルーメンを有する樹脂チューブを用いてそれぞれのルーメンに導電性線条体を挿通することにより、又は、導電性線条体の表面に絶縁被覆層を設けることにより、２本の導電性線条体をたがいに電気的に絶縁することができる。
【０００６】
本態様の双極子電気手術用処置器具において、第一導電性線条体及び第二導電性線条体の材質は、導電性材料であれば特に制限なく使用することができ、このような導電性材料としては、例えば、金、銀、白金、ニッケル、鉄、アルミニウム、錫、亜鉛などの金属単体や、ステンレス鋼、ニクロムなどの合金などを挙げることができる。導電性線条体の構造は、単線、撚り線のいずれであってもよく、撚り線としては、単線からなる芯線とこれを囲むコイルとからなるものが含まれる。導電性線条体の外径は、手術部位により任意に選択することができるが、通常は０.１〜１mm、好ましくは０.２〜０.６mmのものが使用される。導電性線条体を挿通する樹脂チューブの内径を、導電性線条体の外径より大きくすることにより、導電性線条体をルーメン内において長軸方向に滑動可能とすることができる。導電性線条体を挿通する樹脂チューブの材質には特に制限はなく、例えば、ポリエチレン、ポリプロピレン、ポリ四フッ化エチレンなどを挙げることができる。
本態様の双極子電気手術用処置器具には、チューブの近位端側に設置され、第一導電性線条体の後端及び第二導電性線条体の後端と接続され、第一導電性線条体及び第二導電性線条体をチューブ長軸方向に滑動させる機構を有する導電性線条体操作部１５が設けられる。導電性線条体操作部の操作により、導電性線条体をチューブルーメン内で滑動させ、遠位端に露出している導電性線条体をルーメンから露出させ、又はルーメン内に収納することができる。導電性線条体操作部の構造は、２本の導電性線条体をチューブルーメン内で長軸方向に滑動させることができるものであれば特に制限なく使用することができ、例えば、長軸方向に移動可能なレバーと、これと連動して長軸方向に移動する移動部材を具備するものであってもよく、あるいは、回動部材とこの回動部材の回動に連動して長軸方向に移動する移動部材とを具備するものであってもよい。第一導電性線条体の後端及び第二導電性線条体の後端は、さらに、コネクター２３を通じて高周波電流発生装置と接続される。
【０００７】
本態様の双極子電気手術用処置器具においては、チューブの遠位端１７から露出する第一導電性線条体の先端及び第二導電性線条体の先端は、スペーサー１６を介して電気的に絶縁された状態で結合され、スペーサーとチューブの遠位端の間にループ２４を形成する。チューブの遠位端からは、分岐ルーメン内を長軸方向に滑動可能に挿通されている、生体に穿刺可能なチューブ形状をなす注射手段１２の先端が露出する。
本発明の双極子電気手術用処置器具に用いるスペーサーの材質には特に制限はなく、適当な強度、耐熱性及び加工性を有する電気絶縁材料を使用することができる。このような電気絶縁材料としては、例えば、アルミナ、ジルコニアなどのセラミックス、ポリベンズイミダゾール、ポリエーテルスルフォンなどの耐熱性プラスチックスなどを挙げることができる。本発明の双極子電気手術用処置器具に用いるスペーサーの大きさに特に制限はなく、導電性線条体の外径などに応じて選択することができるが、円の直径又は楕円の長径は通常は０.５〜５mm、好ましくは１〜３mmであり、長さは通常は０.５〜５mm、好ましくは１〜３mmである。
本発明の双極子電気手術用処置器具には、必要に応じてスペーサーに刺針を設けることができる。図４は、刺針を有する本発明の双極子電気手術用処置器具の使用説明図である。本態様の双極子電気手術用処置器具は、スペーサー１６に刺針２５を有する。本態様の双極子電気手術用処置器具は、図４(ａ)に示すようにループ２４を比較的平坦な形状の患部２６の上に位置せしめ、図４(ｂ)に示すように刺針を患部の近傍に突き刺す。刺針を突き刺すことにより、正確な位置でループにより患部を緊縛することができる。注射手段１２を患部に刺し、生理食塩水を注射することにより、図４(ｃ)に示すように患部を隆起させる。患部が十分な大きさに隆起したのち、注射手段を抜き去り、導電性線条体を引き締めることによりループを小さくし、隆起した患部を緊縛し、高周波電流を通電して患部を切断する。
【０００８】
本発明の双極子電気手術用処置器具は、注射手段を絶縁性の材料により構成することができる。注射手段を絶縁性材料とすることにより、導電性線条体が注射手段にひっかかって短絡するトラブルを防止することができる。絶縁性材料としては、例えば、ポリイミド、ポリカーボネート、ＡＢＳなどのプラスチック、セラミックス、あるいは表面をコーティングなどにより絶縁性とした金属などを使用することができる。金属としては、ステンレス鋼のほか、ニッケル、チタンなどの超弾性金属チューブ、又は、これに近い物性を有するものを用いることができる。注射手段の材料として、セラミックスを使用する場合は、注射針の先端から必要な部分までをセラミックスとし、その他はプラスチックチューブを用いて、これを接続することができる。注射針の先端部分は、施術時に温度上昇する場合が多いので、プラスチックチューブは、ポリイミド、ポリスルホンなど、耐熱性の比較的高いものを用いることが好ましい。図５は、注射手段の一部をコーティングした本発明の双極子電気手術用処置器具の先端部近傍の斜視図である。本図の双極子電気手術用処置器具は、注射手段の大部分をコーティングにより絶縁性部分２７とし、先端のみを金属の導電性部分２８として露出している。
本発明の双極子電気手術用処置器具においては、必要に応じて注射手段の先端部を湾曲し、ループの可動面から外すことができる。図６は、先端部を湾曲した注射手段を有する本発明の双極子電気手術用処置器具の先端部近傍の斜視図である。本態様の双極子電気手術用処置器具は、第一導電性線条体１３と第二導電性線条体１４から形成されるループ２４が位置する平面から注射手段１２が外れているので、導電性線条体と注射手段が接触するおそれがなく、操作性に優れている。
本発明の双極子電気手術用処置器具においては、生理食塩水注入ポート２１に、生理食塩水の注入を容易にするために、逆止弁を設けることができる。また、二方コックなどの弁を設けることができる。
【０００９】
本発明の双極子電気手術用処置器具は、注射手段を導電性とし、１本の導電性線条体との間で双極子を形成せしめることができる。図７は、本発明の双極子電気手術用処置器具の他の態様の斜視図であり、図８は、Ｂ−Ｂ線断面図である。本態様の双極子電気手術用処置器具は、チューブ１１、導電性注射手段２９、導電性線条体３０及び導電性線条体操作部１５を有する。チューブは、遠位端１７から近位端１８に連通する主ルーメン１９と、遠位端から近位端手前の管壁を経て外部へ連通する分岐ルーメン２０を有し、外部へ連通した分岐ルーメンには生理食塩水注入ポート２１が設けられている。本発明の双極子電気手術用処置器具において、チューブの材質には特に制限はなく、ステンレスのような金属類、あるいはポリエチレン、ポリプロピレン、ポリ塩化ビニル、ポリウレタン、ポリアミド、ポリエステル、ポリカーボネート、ポリエーテルスルホンなどのプラスチック類を使用することができ、目的に応じて適切な弾性率を有するものを選択することができる。
本態様の双極子電気手術用処置器具において、導電性線条体はその長さがチューブの長さより長いものであり、チューブの主ルーメン内で長軸方向に滑動可能にチューブの近位端から遠位端に挿通され、チューブの遠位端からループ状に露出することができるように、線条体遠位端にループが形成され、チューブ内では１本になっている。その近位端が、導電性線条体操作部に接続されている。本態様の双極子電気手術用処置器具において、導電性注射手段と導電性線条体は、たがいに電気的に絶縁される。導電性注射手段は、分岐ルーメン内に挿通され、導電性線条体は主ルーメン内に挿通されるので、チューブが絶縁性材料で構成されている場合は、導電性注射手段と導電性線条体は電気的に絶縁される。チューブが金属などで構成されている場合は、主ルーメン内面及び分岐ルーメン内面を絶縁性材料でコーティングすることにより、導電性注射手段と導電性線条体を電気的に絶縁することができる。本態様の双極子電気手術用処置器具においては、チューブの遠位端から、分岐ルーメン内を長軸方向に滑動可能に挿通されている、生体に穿刺可能なチューブ形状をなす導電性注射手段２９の先端が露出する。
【００１０】
本態様の双極子電気手術用処置器具において、導電性注射手段及び導電性線条体の材質は、導電性材料であれば特に制限なく使用することができ、このような導電性材料としては、例えば、金、銀、白金、ニッケル、鉄、アルミニウム、錫、亜鉛などの金属単体や、ステンレス鋼、ニクロムなどの合金などを挙げることができる。導電性注射手段は、生理食塩水注入ポートより先端まで生理食塩水を輸送し得るチューブ形状であれば、特に制限なく使用することができる。導電性線条体の構造は、単線、撚り線のいずれであってもよく、撚り線としては、単線からなる芯線とこれを囲むコイルとからなるものが含まれる。導電性線条体の外径は、手術部位により任意に選択することができるが、通常は０.１〜１mm、好ましくは０.２〜０.６mmのものが使用される。
本態様の双極子電気手術用処置器具には、チューブの近位端側に設置され、導電性線条体の両端と接続され、導電性線条体をチューブ長軸方向に滑動させる機構を有する導電性線条体操作部１５が設けられる。導電性線条体操作部の操作により、導電性線条体をチューブルーメン内で滑動させ、遠位端に露出している導電性線条体をルーメンから露出させ、又はルーメン内に収納することができる。導電性線条体操作部の構造は、導電性線条体をチューブルーメン内で長軸方向に滑動させることができ、チューブの遠位端から露出するループ２４の大きさを変化させることができるものであれば特に制限なく使用することができ、例えば、長軸方向に移動可能なレバーと、これと連動して長軸方向に移動する移動部材を具備するものであってもよく、あるいは、回動部材とこの回動部材の回動に連動して長軸方向に移動する移動部材とを具備するものであってもよい。導電性注射手段及び導電性線条体は、さらに、コネクター２３を通じて高周波電流発生装置と接続される。
【００１１】
本発明の双極子電気手術用処置器具は、注射手段を導電性とし、１本の導電性線条体との間で双極子を形成せしめる態様において、導電性線条体の一端をチューブの遠位端近傍に固定し、導電性線条体をチューブ遠位端からループ状に露出することができる。図９は、本発明の双極子電気手術用処置器具の他の態様の部分破断図であり、図１０は、Ｃ−Ｃ線断面図である。本態様の双極子電気手術用処置器具は、チューブ１１、導電性注射手段２９、導電性線条体３０及び導電性線条体操作部１５を有する。チューブは、遠位端１７から近位端１８に連通する主ルーメン１９と、遠位端から近位端手前の管壁を経て外部へ連通する分岐ルーメン２０を有し、外部へ連通した分岐ルーメンには生理食塩水注入ポート２１が設けられている。
本態様の双極子電気手術用処置器具においては、導電性線条体はその長さがチューブの長さより長いものであり、チューブの主ルーメン内で導電性線条体先端３１が遠位端近傍に固定され、チューブ遠位端から露出してループ２４を形成し、ふたたび遠位端から近位端へ挿通され、その後端が導電性線条体操作部に接続される。本態様の双極子電気手術用処置器具において、導電性注射手段と導電性線条体は、たがいに電気的に絶縁される。導電性注射手段は、分岐ルーメン内に挿通され、導電性線条体は主ルーメン内に挿通されるので、チューブが絶縁性材料で構成されている場合は、導電性注射手段と導電性線条体は電気的に絶縁される。チューブの遠位端１７から、分岐ルーメン内を長軸方向に滑動可能に挿通された、生体に穿刺可能なチューブ形状をなす導電性注射手段２９の先端が露出する。
【００１２】
本態様の双極子電気手術用処置器具において、導電性注射手段及び導電性線条体の材質は、導電性材料であれば特に制限なく使用することができ、このような導電性材料としては、例えば、金、銀、白金、ニッケル、鉄、アルミニウム、錫、亜鉛などの金属単体や、ステンレス鋼、ニクロムなどの合金などを挙げることができる。導電性注射手段は、生理食塩水注入ポートより先端まで生理食塩水を輸送し得るチューブ形状であれば、特に制限なく使用することができる。導電性線条体の構造は、単線、撚り線のいずれであってもよく、撚り線としては、単線からなる芯線とこれを囲むコイルとからなるものが含まれる。導電性線条体の外径は、手術部位により任意に選択することができるが、通常は０.１〜１mm、好ましくは０.２〜０.６mmのものが使用される。
本態様の双極子電気手術用処置器具には、チューブの近位端側に設置され、導電性線条体の後端と接続され、導電性線条体をチューブ長軸方向に滑動させる機構を有する導電性線条体操作部１５が設けられる。導電性線条体操作部の操作により、導電性線条体をチューブルーメン内で滑動させ、遠位端に露出している導電性線条体をルーメンから露出させ、又はルーメン内に収納することができる。導電性線条体操作部の構造は、導電性線条体をチューブルーメン内で長軸方向に滑動させることができ、チューブの遠位端から露出するループ２４の大きさを変化させることができるものであれば特に制限なく使用することができ、例えば、長軸方向に移動可能なレバーと、これと連動して長軸方向に移動する移動部材を具備するものであってもよく、あるいは、回動部材とこの回動部材の回動に連動して長軸方向に移動する移動部材とを具備するものであってもよい。導電性注射手段及び導電性線条体は、さらに、コネクター２３を通じて高周波電流発生装置と接続される。
【００１３】
本発明の双極子電気手術用処置器具を用いる施術時においては、先ず、注射手段により平坦又は陥没状をなしている患部に穿刺し、患部の粘膜下層に生理食塩水を注射することにより患部を隆起させる。次いで、導電性線条体操作部の操作により、導電性線条体の先端のチューブの遠位端からの露出部を大きくし、大きいループを形成し、ループを隆起した患部の周辺に配置し、導電性線条体をチューブルーメンに収納する方向に滑動し、ループを小さくすることにより隆起した患部を緊縛し、高周波電流発生装置を起動することにより、電気的エネルギーで患部を切断する。本発明の双極子電気手術用処置器具は、１本のチューブの操作により生理食塩水の注射と患部の切断が可能であり、しかも注射手段と導電性線条体がチューブの同じ遠位端から露出しているので、チューブをほとんど移動することなく生理食塩水の注射と患部の切断を行うことができ、患者及び施術者の負担が軽減する。
本発明の双極子電気手術用処置器具を用いることにより、比較的隆起の少ない早期のポリープなどが切除できるほか、注射する生理食塩水中に必要量の止血剤を添加しておき、切除の状況によらず出血を少なくすることができる。また、切除後の生体組織片は、従来、別の取出器具（リトリーバー）を入れて取り出しているが、本発明の双極子電気手術用処置器具によれば、そのまま注射針に刺して内視鏡の先端まで移動し、内視鏡と一緒に取り出すことが可能である。
【００１４】
【発明の効果】
本発明の双極子電気手術用処置器具によれば、比較的平坦又は陥没状態の腫瘍様の患部に生理食塩水を注射し、患部を隆起させたのち電気手術用処置器具で切断する施術を、１個の器具により、患者及び施術者への負担を軽くして容易に行うことができる。
【図面の簡単な説明】
【図１】図１は、従来の双極子電気手術用処置器具の斜視図及び使用説明図である。
【図２】図２は、本発明の双極子電気手術用処置器具の一態様の斜視図である。
【図３】図３は、本発明の双極子電気手術用処置器具の一態様の断面図である。
【図４】図４は、刺針を有する本発明の双極子電気手術用処置器具の使用説明図である。
【図５】図５は、注射手段の一部をコーティングした本発明の双極子電気手術用処置器具の先端部近傍の斜視図である。
【図６】図６は、先端部を湾曲した注射手段を有する本発明の双極子電気手術用処置器具の先端部近傍の斜視図である。
【図７】図７は、本発明の双極子電気手術用処置器具の他の態様の斜視図である。
【図８】図８は、本発明の双極子電気手術用処置器具の他の態様の断面図である。
【図９】図９は、本発明の双極子電気手術用処置器具の他の態様の部分破断図である。
【図１０】図１０は、本発明の双極子電気手術用処置器具の他の態様の断面図である。
【符号の説明】
１  第一導電性線条体
２  第二導電性線条体
３  チューブ
４  スペーサー
５  ループ
６  ポリープ
７  注射針
８  患部粘膜
９  粘膜下層
１０  生理食塩水
１１  チューブ
１２  注射手段
１３  第一導電性線条体
１４  第二導電性線条体
１５  導電性線条体操作部
１６  スペーサー
１７  遠位端
１８  近位端
１９  主ルーメン
２０  分岐ルーメン
２１  生理食塩水注入ポート
２２  樹脂チューブ
２３  コネクター
２４  ループ
２５  刺針
２６  患部
２７  絶縁性部分
２８  導電性部分
２９  導電性注射手段
３０  導電性線条体
３１  導電性線条体先端
【図１】
0003716477.tif 000002
【図２】
0003716477.tif 000003
【図３】
0003716477.tif 000004
【図４】
0003716477.tif 000005
【図５】
0003716477.tif 000006
【図６】
0003716477.tif 000007
【図７】
0003716477.tif 000008
【図８】
0003716477.tif 000009
【図９】
0003716477.tif 000010
【図１０】
0003716477.tif 000011